Podtech/llm-jp-corpus-v4-ja_patent huggingface dataset:
(57)【要約】【課題】ペットの散歩には糞を処理する道具を持ち歩きます。今までは従来技術の一重の容器で掴んで回収しましたが、容器の周りが汚れるためあまり普及しませんでした。その他の方法としてビニール袋で掴み取るとか、或はスコップ等で糞を袋に入れて持ち帰りましたが、そのとき糞の感触が手に伝わりいやな思いをしたり、又更に処理した袋や道具を別のカバン等に入れ持ち帰るため汚れ物が多くなりました。糞の廃棄方法も“家庭用一般ゴミ”に出すためゴミ保管時の臭い等も気になりました。そこで簡単に清潔に糞の回収ができて気軽に携帯でき、かつ帰宅後簡単に廃棄処理できる器具を考えました。【解決手段】臭いや汚れが外部に出ない二重構造で、水洗トイレに流せる２つの開口を持った容器とする。それは外容器１、内容器２及び開閉レバー４と一体の対の蓋３を有した糞回収器具とする。【選択図】図１
2010130996.tif 000002
【特許請求の範囲】
【請求項１】
水洗式トイレに廃棄処理出来ることを特徴とするペット用糞の回収器具。
【請求項２】
持ち運びのときに臭気や汚れを防ぐことを特徴とする請求項１記載のペット用糞の回収器具。
【請求項３】
回収作業で取り残しがないことを特徴とする請求項１記載のペット用糞の回収器具。
【発明の詳細な説明】
【技術分野】
【０００１】  この発明は、ペット用糞の回収器具に関する。
【背景技術】
【０００２】  従来のペット用糞の回収用器具は図８のように一重構造でペット用糞を掴む構造である。
【発明の開示】
【発明が解決しようとする課題】
【０００３】  しかしながら、以上の技術によれば、回収した汚物が容器外に漏れて汚れや臭気を外部に出していた為、持ち運ぶときに不快を感じていた。又、その回収したペット用糞をゴミ箱に捨てる時にも汚れや臭気で不快を感じていた。又、糞を回収する時に取り残しがあり綺麗に取れなかった。
そこで、この発明は、汚れや臭気を外部に漏らさず、かつ廃棄方法も水洗式トイレで簡単に流せ、かつ糞を綺麗に取ることができる構造のペット用糞の回収器具を提供することを課題とする。
【課題を解決するための手段】
【０００４】  以上の課題を解決するために、第一発明は、回収容器を二重の構造とすることを特徴とするペット用糞の回収器具である。
また、第二発明は、内部容器に２箇所の開閉式蓋を取り付けることを特徴とするペット用糞の回収器具である。
また、第三発明は、内部容器開閉式蓋で糞を“箒と塵取り”のように糞を掻き集めることを特徴とするペット用糞の回収器具である。
【発明の効果】
【０００５】  第一発明、第二発明または第三発明によれば、ペットの糞の回収時に取残しがなく綺麗に取れ、持運ぶ時にも臭気や汚れがなく又廃棄処理をする時にも水洗式トイレに流すため臭気や汚れに悩まされなくなる。
【発明を実施するための最良の形態】
【０００６】  この発明の一実施形態を、図１〜図７に示す。
ペット用糞の回収器具はプラスチック製である。外容器１は半分に別れる開閉式の容器で全開近くではバネの力で開ける力が作用し、全閉近くではバネの力で閉まる力が作用する。内容器２は２個の蓋３を有し、開閉用レバー４と連結されている。その開閉用レバー４を指で押して開けることが出来、又指を離した時にはバネ６の力で閉じられる。開閉用レバー４を全開の位置にするとロックできる構造になっている。容器２及び蓋３は柔かく滑らかな材質のプラスチック製で蓋３の周辺内側には丸みがあり容器２を密閉する構造になっている。蓋３は箒の様に糞を集めるため先端が柔かく、容器１を閉めると全閉の位置でロックされる。外容器１を閉じたときに容器が縦に立つように足５がついている。又この回収器具で糞を回収するときの動作を図６に、糞を水洗式トイレに流す動作図を図７に示す。【０００７】「実施形態の効果」
この実施形態によれば、内容器２が密閉式のため汚れが外部に漏れにくくなり、かつ外容器１が２重の構造になっているため外容器から臭気、汚れが出ることがなくなる。又内容器２の蓋開閉用レバー４を操作し箒の様に糞を掻き集められるので綺麗に回収できる。又内容器２に２個の蓋３がある為、共に全開にロックして２つの開口から水洗式トイレの水を流し込み糞が除去できる。【０００８】「他の実施形態」
図１の実施形態では、内容器２の開口部形状は楕円形のようだが、他の実施形態では、長方形等の形状のものでも良い。
【図面の簡単な説明】
【０００９】
【図１】この発明の一実施形態を示す外容器１を開けた正面図である
【図２】この発明の一実施形態を示す外容器１を開けた側面図である
【図３】この発明の一実施形態を示す外容器１を閉じた正面図である。
【図４】この発明の一実施形態を示す外容器１を閉じた側面図である
【図５】この発明の一実施形態を示す内容器２の正面図である。
【図６】この発明の糞を回収する正面から見た動作図である。
【図７】この発明の水洗にて糞を流す正面から見た動作図である。
【図８】従来技術を示す側面から見た動作図である。
【符号の説明】
【００１０】      １  外容器            ２  内容器    ３、開閉蓋
４  蓋開閉用レバー    ５  足        ６、バネ
【図１】
2010130996.tif 000003
【図２】
2010130996.tif 000004
【図３】
2010130996.tif 000005
【図４】
2010130996.tif 000006
【図５】
2010130996.tif 000007
【図６】
2010130996.tif 000008
【図７】
2010130996.tif 000009
【図８】
2010130996.tif 000010
(57)【要約】 【課題】      本発明は、ウニ類、特に棘に毒を有するガンガゼを、ワイヤ仕掛けを引き通す為の金属棒に突き通した際に、その棘が握り柄を握る手に届かないウニ通しを提供することを目的とする。【解決手段】      本発明は先端が尖形状で先端付近にワイヤ仕掛けを懸装する為の欠切があり、釣り餌であるウニ等を突き通せる細さと強度を有し、握り拳程の大きさのウニを３、4個挿通できる程の長さを持つ一本の金属棒が挿着された握り柄の金属棒挿着部に、根元を着接した状態で握り柄に挿着され外側に湾曲している、長さが釣餌挿通用の金属棒の三分の一程の金属棒を付加したことで、餌を奥まで押込んでも棘が握り柄を持つ手に届かないウニ通しとなった。【選択図】  図１
2010130928.tif 000002
【特許請求の範囲】
【請求項１】
本発明は先端が尖形状で先端付近にワイヤ仕掛けを懸装する為の欠切があり、釣り餌であるウニ等を突き通せる細さと強度を有し、握り拳程の大きさのウニを３、4個挿通できる程の長さの一本の金属棒が挿着された握り柄の金属棒挿着部に、根元を着接した状態で握り柄に挿着され外側に湾曲している、長さが釣餌を挿通する金属棒の三分の一程度であるもう一本の金属棒を付加したウニ通しである。
【発明の詳細な説明】
【技術分野】
【０００１】
本発明は釣りにおいて釣り餌にワイヤ仕掛け針を通す為のウニ通しに関するものである。
【背景技術】
【０００２】
従来の釣りに使用するウニ通しは、先端が尖形状で先端付近がワイヤ仕掛けを懸装する為に欠切されていて、釣り餌であるウニやカニや貝類等を突き通せる細さであり、
その強度を有する一本の直線金属棒と、その金属棒が挿着された木製、竹製或いは合成樹脂製の握り柄からなっているものがある。
【発明の開示】
【発明が解決しようとする課題】
【０００３】
以上に述べた従来のウニ通しは、ウニやカニや貝類等を突通す一本の金属棒が直接握り柄に挿着されており、釣餌のウニを根元まで挿通した場合その長い棘が握り柄を握る手に刺さる危険があり、特にガンガゼ等の棘に毒を持つ種類の餌の場合、棘が貫通しないだけの厚みのある素材で作製された手袋を、餌を取り替える度に装着したり、或いは予めウニの棘を切り落としてから挿通しなければならない等の手間がかかるという問題があった。
【０００４】
本発明は、ウニ類、特に棘に毒を有するガンガゼを、ワイヤ仕掛けを引き通す為の金属棒に突き通した際に、その棘が握り柄を握る手に届かないウニ通しを提供する。
【課題を解決するための手段】
【０００５】
本発明は上記目的を達成するために、先端が尖形状で先端付近がワイヤ仕掛けを懸装する為に欠切されていて、釣り餌であるウニやカニや貝類等を突き通せる細さでありその強度を有し、握り拳程の大きさのウニが３個から4個を挿通できる程度の長さを持つ一本の金属棒が挿着された木製、竹製或いは合成樹脂製の握り柄の金属棒挿着部に、根元を着接した状態で握り柄に挿着され外側に湾曲している、長さが釣餌を挿通する金属棒の三分の一程度であるもう一本の金属棒を付加したウニ通しである。
【発明の効果】
【０００６】
本発明は上述したように、釣餌となるウニ等を挿通する真直ぐの金属棒と、長さが前記の金属棒の三分の一程度の外側に湾曲した金属棒を、根元が着接した状態で握り柄に挿着することで、餌を挿通する為の真直ぐの金属棒に餌となるウニを奥まで挿し込んだ場合でも、ウニの殻が湾曲したもう一本の金属棒にあたりそれより奥には押し込めなくなり、危険なウニの棘が握り柄を握る手に届かなくなり、ウニの棘を気にすることなく餌の付け替えが出来るようになり、手袋を装着したりウニの棘を切り落としたりする必要がなくなることで、釣りに集中できる時間が増えた。
【０００７】
また、従来のウニ通しでは餌をワイヤに通したあと釣針をウニの殻に押入する際も、手袋を装着する等のウニの棘に対する対策を必要としていたが、本発明に於いては片方の手でワイヤを握りもう片方の手でウニ通しの柄を握り、ウニ通しの二本の金属棒でウニを押さえながらワイヤを引くことで釣針をウニの殻に押入出来るようになったウニ通しである。
【発明を実施するための最良の形態】
【０００８】
以下、本発明の実施の形態を図１に基づいて説明する。
【０００９】
本発明は、先端が尖形状で先端付近がワイヤ仕掛けを懸装する為に欠切されていて、釣り餌であるウニやカニや貝類等を突き通せる細さでありその強度を有し、握り拳程の大きさのウニが３個から4個を挿通できる程度の長さを持つ一本の金属棒１、が挿着された木製、竹製或いは合成樹脂製の握り柄３、の金属棒挿着部に、根元を着接した状態で握り柄に挿着され外側に湾曲している、長さが釣餌を挿通する金属棒の三分の一程度であるもう一本の金属棒２、を付加したウニ通しである。
【図面の簡単な説明】
【００１０】
【図１】本発明のガンガゼ用ウニ通しの側面図である。
【符号の説明】
【００１１】
１、餌挿通棒    ２、握り柄    ３、棘防止棒  
【図１】
2010130928.tif 000003
(57)【要約】【課題】      従来の柔軟弾性線材を取り付けた釣り用錘は、釣り用錘と柔軟弾性線材はそれぞれ個別のものであり、結着不良や結着用線材の劣化等による柔軟弾性線材のズレや分離の可能性があるという問題があった。【解決手段】      本発明は上記目的を達成するために、高比重材質の釣り用錘本体に対し、中通し錘では釣り糸を挿通する為の穿孔に対し捩れの位置で尚且つ左右対称になる位置に、また吊下げ式錘では幹糸との係止部より下方に伸びる縦軸線に対し垂直で左右対称になる位置に横穿し、その孔に対し柔軟弾性線材をそれ自体が不動となる量を押入することで固定した、釣り用錘と柔軟弾性線材を一体化した柔軟弾性線材埋込錘である。【選択図】図１
2010130927.tif 000002
【特許請求の範囲】
【請求項１】
本発明は、釣り用錘であって、高比重材質の錘本体に対し、中通し錘では釣り糸を挿通する為の穿孔に対し捩れの位置で尚且つ左右対称になる位置に、また吊下げ式錘では幹糸との係止部より下方に伸びる縦軸線に対し垂直で左右対称になる位置に横穿し、その孔に対し柔軟弾性線材をそれ自体が不動となる量を押入することで固定された、錘と柔軟弾性線材が一体化された柔軟弾性線材埋込錘である。
【発明の詳細な説明】
【技術分野】
【０００１】
本発明は、釣りにおける柔軟弾性線材埋め込み錘に関するものである。
【背景技術】
【０００２】
従来の釣りに於ける錘は仕掛けを水中に沈めることを目的とし、また、擬似餌釣りに於いては擬似餌を水中に沈める役割のほかに、錘に塗装を施し魚を誘引する効果を高めたものもある。一方、特許文献１では疑似餌仕掛に関し、多数の柔軟弾性線材が錘本体の外方に放射状に延びる房状体を、錘の端に貫入された釣り針係止部に取り付けることで、釣り用錘を魚の目につき難いようにして魚の警戒心を少なくすると共に、柔軟弾性線材自体は魚を吸引する効果を高めることが出来るとされている。
【特許文献１】特開２００７−１２９９９９号公報
【発明の開示】
【発明が解決しようとする課題】
【０００３】
以上に述べた柔軟弾性線材を取り付けた釣り用錘は、本体に貫入された釣り針係止部を有する錘と、放射状に延びる房状体に取り付ける柔軟弾性線材の個々の部材を組み合わせることで、擬似餌仕掛とりわけ軟質擬似餌を主体とする擬似餌仕掛に於いて、釣り用錘を魚の目につき難いようにして魚の警戒心を少なくすると共に、柔軟弾性線材自体は魚を吸引する効果を高めるとされるものがあるが、釣り用錘と柔軟弾性線材はそれぞれ個別のものであり、結着不良や結着用線材の劣化等による柔軟弾性線材のズレや分離の可能性があるという問題があり、また擬似餌仕掛に於ける使用を前提としており、生き餌を用いる釣りに於いての考慮はなされていないという問題があった。
【０００４】
本発明は、擬似餌仕掛及び生き餌仕掛に共用することを前提とし釣り用錘と柔軟弾性線材を一体化する為に、高比重素材で形成して塗装を施した錘に、中通し錘では穿孔してある仕掛通し用の縦孔に対し捩れの位置に柔軟弾性線材を左右対称に埋め込み、また、吊下げ式錘では幹糸係止部より下方に伸びる縦軸線に対し垂直の位置に柔軟弾性線材を左右対称に埋め込むことで、錘本体が魚を誘引する効果を高めることを目的とするものである。
【課題を解決するための手段】
【０００５】
本発明は上記目的を達成するために、従来の釣り用錘に柔軟弾性線材を組み合わせるのではなく一体化をするために、高比重材質の釣り用錘に対し、中通し錘では釣り糸を挿通する為の穿孔に対し捩れの位置で尚且つ釣糸を通す為の穿孔に対し左右対称になる位置に、また吊下げ式錘では幹糸との係止部より下方に伸びる縦軸線に対し垂直で左右対称になる位置に、柔軟弾性線材を押入する孔を横穿しそこに穿孔した孔に対し不動となる量の柔軟弾性線材を押入して固定することで、水中に於いて沈下する際や上下に動かす際に、一体化された錘と柔軟弾性線材が魚を吸引する効果が高くなり、生き餌仕掛及び擬似餌仕掛のどちらにも対応出来る釣り用錘であり、錘本来の機能を損なうことなく更に魚を惹きつける効果を高めた釣り用錘である。尚、柔軟弾性線材とは、線状ゴムやシリコンラバーや金属線やラメ糸等を指すものである。
【発明の効果】
【０００６】
本発明は上述したように、釣りに於いて仕掛けを沈める事を主たる目的としていた錘に柔軟弾性線材を組込み一体化したことで、錘本体と柔軟弾性線材のズレや分離の可能性を激減させた。また、水中に於いて沈下する際や水中に於いて上下に動かす際に、錘と一体化された柔軟弾性線材が水の抵抗を受け揺動することで魚を吸引する効果が高くなり、生き餌仕掛及び擬似餌仕掛のどちらに於いても生き餌や擬似餌を魚の目に付き易くする効果を高める釣り用錘であり、錘本来の仕掛けを水中に沈める機能も保持されている。更に、釣り用錘本体に柔軟弾性線材を押入することで錘一個当りに使用する柔軟弾性線材の量が少なくて済み、製造コスト削減にも繋がる。
【発明を実施するための最良の形態】
【０００７】
以下、本発明の実施の形態を図１から図４に基づいて説明する。
【０００８】
中通し錘１では釣り糸を挿通する為の穿孔２に対し捩れの位置で尚且つ釣糸を通す為の穿孔２に対し左右対称になる位置に横穿した穿孔３に対し、また吊下げ式錘５では幹糸との係止部６より下方に伸びる縦軸線に対し垂直で左右対称になる位置に横穿した穿孔７に対し、不動となる量の柔軟弾性線材４、９を押入して固定することで、水中に於いて沈下する際や水中に於いて上下に動かす際に、一体化された錘１、５と柔軟弾性線材４，９が魚を吸引する効果が高くなり、生き餌仕掛及び擬似餌仕掛のどちらにも対応出来る釣り用錘であり、錘本来の機能を損なうことなく更に魚を惹きつける効果を付加した柔軟弾性線材埋込錘である。
【図面の簡単な説明】
【０００９】
【図１】本発明の中通し錘本体の内部構造を示す概略斜視図である。
【図２】本発明の中通し錘使用例の側面視図である。
【図３】本発明の吊下げ式錘本体の内部構造を示す概略斜視図である。
【図４】本発明の吊下げ式錘の側面視図である。
【符号の説明】
【００１０】
１、中通し錘本体    ２、仕掛通し用の縦孔  ３、柔軟弾性線材押入孔  
４、柔軟弾性線材    ５、吊下げ式錘本体  ６、幹糸係止部    
７、柔軟弾性線材押入孔    ８、釣り針係止部  ９、柔軟弾性線材  
【図１】
2010130927.tif 000003
【図２】
2010130927.tif 000004
【図３】
2010130927.tif 000005
【図４】
2010130927.tif 000006
(57)【要約】【課題】解決しようとする問題点は、コンバインの普及により、米は食用に、稲わら（軸）は、裁断され水田にすき込んでいます。これを、稲刈りで食用米を収穫し、同時に家畜の飼料を確保する一連作業を一台で行うという点です。【解決手段】本発明のコンバインロールベーラーは、コンバイン機能とロールベーラー機能の２つの機能を同時に１台でするいう点で、稲作と畜産との連携が一度に図られ循環型農業が可能にしたという点である。【選択図】  なし【特許請求の範囲】
【請求項１】
稲刈り時、コンバイン機能とロールベーラー機能の２つの機能を１台（以下、「コンバインロールベーラー」という。）で作業することにより、米は食用に、稲の茎葉（以下、「稲わら」という。）はロールにし、家畜の飼料にする手法です。
【発明の詳細な説明】
【技術分野】
【０００１】
本発明のコンバインロールベーラーは、コンバイン機能とロールベーラー機能の２つの機能を１台にする手法です。
【背景技術】
【０００２】
コンバインとロールベーラーの農業用機械の機能について説明します。
コンバインとは、稲を刈取り、籾の脱穀、稲わらの処理(裁断など)を行う農業機械です。また、ロールベーラーとは、刈取って寄せ集めた干し草や藁のような作物を圧縮して梱包し、トワイン(twine)で結束するために使う梱包機械です。
【０００３】
時代背景については、昭和５０年頃は、水田で出来た稲をハデで乾燥し、米は食用となり、稲わらは家畜（牛など）に食べさせ循環型農業が確立されていました。
しかしながら、コンバインの普及により、米は食用に、稲わら（軸）は、裁断され水田にすき込んでいます。
【０００４】
この改善策として、コンバイン機能とロールベーラー機能の２つの機能を１台にすることで、実（米）は食用に、稲わらは、家畜の飼料にすることが可能となり、食用米と家畜の飼料が一度に確保することが可能になりました。また、収穫作業の効率化、労働負担の軽減も可能になりました。
【特許文献１】該当なし
【非特許文献１】該当なし
【発明の開示】
【発明が解決しようとする課題】
【０００５】
解決しようとする問題点は、コンバインで落とした稲わらを、ロールベーラーで収穫しロールすることを、１台で一連作業を行うという点です。
【課題を解決するための手段】
【０００６】
本発明のコンバインロールベーラーは、コンバイン機能とロールベーラー機能の２つの機能を１台にするいう点です。
【発明の効果】
【０００７】
コンバインロールベーラーは、稲刈りで食用米を収穫し、同時に家畜の飼料を確保する一連作業を一体化することで、収穫作業の効率化、労働負担の軽減も可能になりました。。
【発明を実施するための最良の形態】
【０００８】
稲刈りで食用米を収穫し、同時に稲わらを家畜（牛など）に食べさせることを実現しました。
【産業上の利用可能性】
【０００９】
耕種と畜産との連携が同時に図られ循環型農業が確立される。
(57)【要約】【課題】従来、キャリア周波数を上げることにより人間の耳に聞こえ難い周波数帯とすることで騒音を低下させていたが、スイッチング回数が増加することでインバータ回路の損失が増大するという課題があった。本発明は騒音が目立たない範囲で可能な限りインバータ回路の損失を低減するインバータ制御装置および空気調和機を提供することを目的とする。【解決手段】環境騒音を測定する騒音測定手段９と、騒音レベルからキャリア周波数を決定するキャリア周波数決定手段８を設けることで、騒音レベルに応じて損失の低いキャリア周波数を決定することを可能としたものである。【選択図】図１
2010130771.tif 000002
【特許請求の範囲】
【請求項１】
交流電力を直流電力へ変換する整流回路と、直流電力を交流電力へ変換してモータへ供給するインバータ回路と、環境騒音を測定する騒音測定手段と、キャリア周波数指令を決定するキャリア周波数決定手段と、指定されたキャリア周波数でインバータ回路を制御するＰＷＭ制御手段とを備え、キャリア周波数決定手段が騒音測定手段の計測値に基づいてキャリア周波数を決定することを特徴とするインバータ制御装置。
【請求項２】
請求項１記載のインバータ制御装置を有する空気調和機。
【発明の詳細な説明】
【技術分野】
【０００１】
本発明は、モータのインバータ制御装置および空気調和機に関する。
【背景技術】
【０００２】
従来、この種の電動機の制御装置としては、例えば、キャリア周波数を１０ｋＨｚ以上に上げる事によって騒音を減らすものがあった（例えば、特許文献１参照）。
【特許文献１】特開平３−１７８５９５号公報
【発明の開示】
【発明が解決しようとする課題】
【０００３】
しかしながら前記従来技術では、キャリア周波数を上げることにより騒音は低下するが、スイッチング回数が増加することでインバータ回路の損失が増大するという課題があった。
【０００４】
本発明は、上記従来技術の課題を解決するもので、環境騒音に対してインバータ装置の騒音が大きくならない範囲でキャリア周波数を変更し、モータのインバータ制御装置および空気調和機の騒音が目立たない範囲で可能な限りインバータ回路の損失を低減するモータのインバータ制御装置および空気調和機を提供することを目的とする。
【課題を解決するための手段】
【０００５】
前記従来の課題を解決するために、本発明のモータのインバータ制御装置および空気調和機は、環境騒音を測定する騒音測定手段と、環境騒音からキャリア周波数を決定するキャリア周波数決定手段を設けたものである。
【発明の効果】
【０００６】
本発明により、モータのインバータ制御装置および空気調和機からの騒音を不快に感じることなく、かつ装置の損失を低減できるモータのインバータ制御装置および空気調和機を提供することができる。
【発明を実施するための最良の形態】
【０００７】
第１の発明は、交流電力を直流電力へ変換する整流回路と、直流電力を交流電力へ変換してモータへ供給するインバータ回路と、環境騒音を測定する騒音測定手段と、キャリア周波数指令を決定するキャリア周波数決定手段と、指定されたキャリア周波数でインバータ回路を制御するＰＷＭ制御手段とを備えたもので、キャリア周波数決定手段が騒音測定手段の計測値に基づいてキャリア周波数を決定することで、モータのインバータ制御装置の騒音が目立たない範囲で損失を低減するモータのインバータ制御装置を提供することができる。
【０００８】
第２の発明は、モータにより冷媒を圧縮する圧縮機と、請求項１のモータのインバータ制御装置を備え、空気調和機の騒音が目立たない範囲で損失を低減する空気調和機を提供することができる。
【０００９】
（実施の形態１）
図１は、本発明の第１の実施の形態を説明する図である。
【００１０】
図１において、整流回路２は交流電力を直流電力へ変換し、インバータ回路４は直流電力を交流電力へ変換してモータ５へ供給する。
【００１１】
モータ制御回路６は騒音測定手段９とキャリア周波数決定手段８とＰＷＭ制御手段７から構成され、キャリア周波数決定手段８は騒音測定手段９により測定された騒音レベルに応じてキャリア周波数を決定し、ＰＷＭ制御手段７は決定されたキャリア周波数でインバータ回路４を制御する。
【産業上の利用可能性】
【００１２】
以上のように、本発明のモータのインバータ制御装置および空気調和機は、周囲の騒音レベルをもちいてキャリア周波数を決定することにより、必要以上に損失を増やすことのないモータの運転が可能となり、モータのインバータ制御装置を含む種々の機器に適用できる。
【図面の簡単な説明】
【００１３】
【図１】本発明におけるモータのインバータ制御装置の構成図
【符号の説明】
【００１４】
１  交流電源
２  整流回路
３  平滑コンデンサ
４  インバータ回路
５  モータ
６  モータ制御回路
７  ＰＷＭ制御手段
８  キャリア周波数決定手段
９  騒音測定手段
【図１】
2010130771.tif 000003
(57)【要約】      （修正有）【課題】ドアホン子機に備えられた照明の色、照度を調光することによって、夜間照明用、または呼出ボタン位置表示用として用いることができるドアホン子機を提供する。【解決手段】来訪者が居住者を呼出すための呼出ボタン１０１と、来訪者を撮像するカメラ１０２とを備えた玄関子機１において、玄関子機には、赤ＬＥＤ、青ＬＥＤ、緑ＬＥＤの３原色で構成された照明部１０３と、ＬＥＤ部の照度を調光する調光部を備えることにより、光源色を調整する。【選択図】図１
2010130360.tif 000002
【特許請求の範囲】
【請求項１】
来訪者が居住者を呼び出すための呼出ボタン（１０１）と、来訪者を撮像するカメラ（１０２）とを備えたドアホン子機において、
前記ドアホン子機には、赤ＬＥＤ（１０３ａ）、青ＬＥＤ（１０３ｂ）、緑ＬＥＤ（１０３ｃ）の３原色で構成された照明部（１０３）と、前記ＬＥＤ部の照度を調光する調光部（１０４）を備えることにより、光源色を調整することができる事を特徴とするドアホン子機。
【請求項２】
前記照明部は、夜間撮影の照明用、又は、前記呼出ボタン位置確認表示用として機能することを特徴とする請求項１記載のドアホン子機。
【発明の詳細な説明】
【技術分野】
【０００１】
本発明はインターホン装置のドアホン子機に関わり、ドアホン子機に備えられた照明の色、照度を調光することによって、夜間照明用、または呼出ボタン位置表示用として用いることができるドアホン子機に関する。
【背景技術】
【０００２】
従来から、玄関子機には夜間時に来訪者を照らすための照明や呼出ボタンの位置を示すための夜間表示灯が備えられていた。また、特許文献１には夜間時に来訪者を照射するとともに、呼出ボタンの位置を示すための夜間表示灯を兼ねたＬＥＤを備えた玄関子機が知られている。
【特許文献１】特開２００２−０６４８１４
【発明の開示】
【発明が解決しようとする課題】
【０００３】
しかし、特許文献１のような来訪者を照射する夜間照明と、呼出ボタンの位置を示すための夜間表示を兼ねたＬＥＤは、照度を変化させることのみしかできなかった。
【０００４】
本発明は、上記問題を解決するためになされたものであって、玄関子機に赤ＬＥＤ、青ＬＥＤ、緑ＬＥＤを備えそれぞれを調光させて様々な色で発光することができる玄関子機を提供することを目的としている。
【課題を解決するための手段】
【０００５】
上記課題を解決するために、請求項１に記載の発明は、来訪者が居住者を呼び出すための呼出ボタンと、来訪者を撮像するカメラとを備えた玄関子機において、玄関子機には、赤ＬＥＤ、青ＬＥＤ、緑ＬＥＤの３原色で構成された照明部と、ＬＥＤ部の照度を調光する調光部を備えることにより、光源色を調整することができる事を特徴とする。
【０００６】
また、請求項３に記載の発明は、照明部は、夜間撮影の照明用、又は、呼出ボタン位置確認表示用として機能することを特徴とする。
【発明の効果】
【０００７】
本発明のインターホンシステムによれば、夜間時に来訪者を照射するとともに、呼出ボタンの位置を示すための夜間表示灯を兼ねたＬＥＤにおいて、色、照度を調光することができる。
【発明を実施するための最良の形態】
【０００８】
以下、本発明の電源装置を適用した最良の実施形態例について、図面を参照して説明する。本発明のドアホン子機は図１に示すように、居住者を呼出すための呼出ボタン１０１と、来訪者を撮像するためのカメラ１０２と、夜間撮影または呼出ボタン１０１位置の確認のための照明部１０３と、住居に設置されているインターホン親機（不図示）と通話するための通話部１０６を備えている。また図２は、ドアホン子機１のブロック図を示しており、玄関周辺の照度を測定する照度検出部１０５と、ドアホン子機１を制御するための子機制御部１０７と、インターホン親機と通信するための子機Ｉ／Ｆ１０８を備えている。
【０００９】
このようなドアホン子機において、ドアホン子機１の照明部１０３の動作説明を行う。
【００１０】
来訪者が呼出ボタン１０１を操作すると、子機制御部１０７から待受信号を受信した調光部１０４は、照明部１０３にて所定の色、照度を発光するよう調光する。例えば、待受時に赤色を発光させるとすると、赤ＬＥＤ１０３ａのみを照度弱で発光させる。
【００１１】
来訪者が呼出ボタン１０１を操作すると、呼出ボタン１０１から子機制御機１０７に呼出信号が送信され、カメラ１０２、子機通話部１０６を起動させ、インターホン親機（不図示）に来訪者の映像信号及び音声信号の送信を行う。また、照度検出部１０５で玄関周辺の照度を測定し、所定値以下であった場合には、調光部１０４に夜間照明信号を送信する。夜間照明信号を受信した調光部１０４は、来訪者を照らすため白色光を発光する。例えば、赤ＬＥＤ１０３ａ、青ＬＥＤ１０３ｂ、緑ＬＥＤ１０３ｃを照度強で発光させる。このときに、カメラ１０２で撮像した映像を元にＡＷＢ（Ａｕｔｏ  Ｗｈｉｔｅ  Ｂａｌａｎｃｅ）演算を行い、撮像画像の色温度が所定値となるよう調光部１０４で照明部１０３の色、照度の調整を行う。
従って、待受時には呼出ボタンの位置を示すための夜間表示と、夜間時に来訪者を照らす夜間照明を兼ね合わせ、更に、様々な色、照度で発光させることができる。
【００１２】
また、インターホン親機（不図示）からの異常発報信号等を受信した時に、子機制御部１０７を介して調光部１０４を制御し、赤ＬＥＤ１０３ａを照度強で発光させ、異常発報等の表示も行うことができる。
【図面の簡単な説明】
【００１３】
【図１】本発明の玄関子機の概観図。
【図２】本発明の玄関子機のブロック図。
【符号の説明】
【００１４】
１０１・・・                  呼出ボタン
１０２・・・                  カメラ
１０３・・・                  照明部
１０３ａ・・・              赤ＬＥＤ
１０３ｂ・・・              青ＬＥＤ
１０３ｃ・・・              緑ＬＥＤ
１０４・・・                  調光部
【図１】
2010130360.tif 000003
【図２】
2010130360.tif 000004
(57)【要約】【目的】  従来の変圧器形の発電機は発電電力の負荷に関係なく、回転磁石の公転に多大な動力を要す、本発明は固定子内の回転磁石を自転、及び公転させるため発電電力の負荷に関係なく回転磁石を低動力で駆動することを目的とするローラー発電機。【構成】  回転磁石が固定子内で公転と自転する。【選択図】図１
2010130893.tif 000002
【特許請求の範囲】
【請求項１】
変圧器形の発電機において発電コイルを設けた固定子を固定リングに等間隔に配置、固定リング内に発電コイルを跨ぐ筒状した回転磁石を設けることを特徴とするローラー発電機。
【発明の詳細な説明】
【技術分野】
【０００１】  本発明は変圧器形発電機の磁気回転子に関する。
【背景技術】
【０００２】  自転車のタイヤ駆動の発電ランプのダイナモ。
【発明の開示】
【発明が解決しようとする課題】
【０００３】  従来の変圧器形発電機は固定子から回転磁石の回転に伴う磁気の引き離しの回転抵抗が生じていた。本発明は最小の回転抵抗で駆動可能な変圧器形の発電機を提供するにある。
【課題を解決するための手段】
【０００４】  変圧器形の発電機の固定子に対する回転子の公転に伴う磁気のスライド動作をなくすため回転子を自転と公転させる。
【発明の効果】
【０００５】  以下、本発明の実施の形態を図１、図２、図３に基づいて説明する。
図１はローラー発電機の側面、図２はローラー発電機の一部断面を示し、また図３は直流出力の場合の整流用ダイオード１２を４個を用いた両波整流回路の一回路のみを示す。【０００６】  図１、図２に示すローラー発電機の図示されていないベースに固着された磁気に反応しない材質の任意な大きさの固定リング１の内径側に直角に固着され磁気回路を構成する固定子２の中央には点線の略図で示す任意の量の発電コイル９が直角方向に巻き付けられ、これを固定リング１に等間隔に固着。
これにローラー発電機の図示されていないベースに固着された駆動軸８の図示されていない軸受に回転自在に設けられている駆動軸８に固着された駆動アーム６の先に回転子軸５が固着され、回転子軸５には固定子２の残留磁気の打ち消しから偶数で設けるのが好ましい、自転自在な筒状した永久磁石の回転磁石３が設けられている。【０００７】  発電コイル９が個々に独立して発電しているため図３に示す両波整流回路を発電コイル９の数に図示されていない等しく設け、プラス配線１３、マイナス配線１４で図示されていない並列に接続、直流発電機として用いる。また固定子２が図示されていない偶数の場合は、対角の発電コイル９を一対として結線が可能で、この場合図３の整流回路が半減する。【０００８】  本発明の構成で回転磁石３の自転を強制的に止めた場合は従来の変圧器形の発電機と同じであり、駆動軸８には回転磁石３が公転に伴い固定子２に対してスライドして離れる際の磁気の吸引力に相当する回転抵抗が生じ、駆動効率の悪い発電機になる。
本発明のローラー発電機では駆動軸８の駆動で固定子２と直近の回転磁石３を回転子軸５の回転方向に斜めに引き離すため駆動軸８にはスライドする場合の回転力の約５分の１以下の僅かな駆動抵抗が生じ、これは固定子２を図示されていないより密に配置、及び回転磁石３をより大径にすることで次の固定子２に移るための磁気の引き離し角度が小さくなり、また回転子軸５が駆動軸８に近づき駆動軸８による回転力が大きくなり駆動抵抗がより小さくなる。【０００９】  この発明の趣旨から片方の回転磁石３を固定子２の残留磁気の消磁のため図示されていない磁気短絡鉄芯に変更し、駆動アーム６の間の駆動軸８を除去することで片方の回転磁石３をより大径にすることは任意であり、図１の構成で駆動軸８、１回転で固定子２の発電サイクルは２２ＨＺのため駆動軸８の回転数は約１３０回転／毎分となり直流発電のためこの回転数は任意。また回転磁石３は図示されていない電磁石に変更は任意。
【産業上の利用可能性】
【００１０】  固定子２の鉄芯に磁気を通す変圧器と同じで、駆動軸８の図示されていない駆動手段は任意であり低動力のため本発明の発電機の利用範囲は玩具等から人工衛星、宇宙船等に至るまで多種多様で、電池、自転車、バイク類、また石油、石炭、可燃ガス類、原子力動力等の代用動力を含め家屋、アウトドア用品、農業、各種産業、船舶、自動車、列車、航空機類等安価で公害のない電力、及び動力源が得られ、普及することで地球の温暖化防止等環境に広く貢献する。
【図面の簡単な説明】
【００１１】
【図１】ローラー発電機の側面図
【図２】ローラー発電機の一部断面図
【図３】直流出力の場合の両波整流回路図
【符号の説明】
【００１２】  １  固定リング
２  固定子
３  回転磁石
４、７  ボス
５  回転子軸
６  駆動アーム
８  駆動軸
９  発電コイル
１０  発電出力のプラス端子
１１  発電出力のマイナス端子
１２  整流用ダイオード
１３  プラス配線
１４  マイナス配線
【図１】
2010130893.tif 000003
【図２】
2010130893.tif 000004
【図３】
2010130893.tif 000005
(57)【要約】【課題】  従来の自家発電は、自然エネルギー若しくはガソリンでタービンを回転させるもので、自然エネルギーは発電量が不安定であり、又、ガソリンエンジン型発電機は、騒音公害を発生する為に、一般使用には難点がありました。【解決手段】  本発明は、永久磁石の反発作用をエネルギーとする為に、発電の安定供給を可能にし、騒音公害も解決しました。【選択図】図４
2010130895.tif 000002
【特許請求の範囲】
【請求項１】
発電起動原資は、永久磁石の反発作用をエネルギーとした。連続振幅作動の双子振動型です。又、発電コイルを直列接続して、必要に応じて増電できるようにした。
【請求項２】
本発明の発電部コイルを並列コイルに固定し、その間を永久磁石を振動させる事により、直流電流の電力を上げる事に成功しました．従来の電流が交流の為に、家電利用は変換機能を必要としましたが、直流電流は家電に変換機不用となります。安定実用化される為には、５年以上の実績と未知の問題解決が必要と思われます。
【請求項３】
回転軸は永久磁石の反発を利用する事により、回転軸に摩擦がない、従来の回転軸の様な故障の削減効果があります。
【発明の詳細な説明】
【技術分野】
【０００１】  本発明は、戸建て住宅等の建築施設、若しくはキャンプ等の屋外用途等に多目的に気軽に活用できる、自家発電機に関する。
【背景技術】
【０００２】  一般に普及している「太陽光発電」等の自家発電は、自然条件に大きく左右され、安定供給を求められる建築施設では、不適当です．更に複雑な設備の為に、設備費用は高額となります。又、「風力発電」及び「エンジン型発電機」は、回転起動の為に騒音公害が生じます。
以下は、「太陽光発電」「風力発電」「エンジン型発電機」の課題を述べます。【０００３】  太陽光発電
日照度により、発電能力が大きく左右される．又、発電パネルの汚れ等により発電量が低下。常に管理が必要とされる。【０００４】  風力発電
発電エネルギーが自然風力の為に、地域性により発電能力は左右される。又、低周波公害及び騒音公害があります。【０００５】  エンジン型発電機
ガソリン燃料によるモーターエンジンであり、騒音と高炭素発生で２１世紀の低炭素社会では敬遠されています。
【発明の開示】
【発明が解決しようとする課題】
【０００６】  広く普及している「太陽光発電」と「風力発電」の課題は、自然エネルギーを起動原資としている為に、自然条件若しくは地域特性に発電能力は大きく左右されています。
又、「太陽光発電」に於いては日照度に左右され、夜は使用不可となり、冬は積雪により使用不可となります。【０００７】  「エンジンモーター型発電機」は一般的であるが、回転モーター式であり、エンジン音の騒音公害があり、住宅地での使用は困難となります。又、燃料がガソリン燃料であり、２１世紀の低炭素社会に於いては、受け入れ難いものとなっております。
【課題を解決する為の手段】
【０００８】  本発明の第１の課題解決は、高磁力のフェライト磁石の反発作用をエネルギーとする為、非燃料及び無騒音の効果を発揮します。
但し、反発と振幅を継続させる為に、▲７▼の磁石を電気誘導磁石とし、Ｓ極とＮ極の磁力を交互切替制御を繰り返す事により、磁力バランスで、停止する事を防止する。２１世紀の低炭素社会に求められる無炭素エネルギーとして、広く活躍するものと確信する。
【発明の効果】
【０００９】  本発明は、エネルギーコストゼロの社会の構築となり、様々な工業技術が、学術的には解決しているのに、産業の費用代効果がない為に実現しなかった産業が、新規産業として生まれます。空気若しくは土・岩石からの資源採取も可能となります。又、送電線のないところでも電気の使用が可能となり、２１世紀の電気自動車社会での拡大が見込まれる。
非エネルギーは、可処分所得を増やし国民生活を豊かにして、消費押し上げの効果となります。
輸送車及び船舶の電気化で、輸送料の減額となり物価の価格低下になります。
【発明の実施するための最良の形態】
【００１０】  以下、本発明の実施の形態を図１〜図１０に基づいて説明する。
【００１１】  図６に於いて、ａ振子の永久磁石Ｎ極が▲７▼の電磁石Ｎ極に近付く（イ）と反発作用が働く（ロ）同時にｂ振子の永久磁石Ｓ極が▲７▼の電磁石Ｓ極に近付き（ハ）今度はｂ振子が反発作用で振動する。即ち、ａとｂの振子が相互に４５度の範囲で振幅を繰り返す。
【００１２】  図７、図８に基づいて、▲１▼の振動子２本が振幅を繰り返すと、連結された回転ブッシュが、４５度の回転を繰り返す。
【００１３】  図９に基づいて、▲５▼の対称コイルの中間を、発電用永久磁石▲６▼が、往復する。
【００１４】  図１０に基づいて、▲５▼の固定のコイルに固定の永久磁石Ｎ極Ｓ極の中間を、▲６▼の永久磁石Ｓ極、Ｎ極が反復移動する事により、発電誘導となります。
【図面の簡単な説明】
【００１５】
【図１】本発明の収納枠平面図
【図２】本発明の収納枠正面図
【図３】本発明の収納枠右側側面図
【図４】Ａ−Ａ’断面図  本発明の内部本体の断面図
【図５】Ｂ−Ｂ’断面図  本発明の内部本体の断面図
【図６】起動部の断面詳細図
【図７】本体発電機の回転軸部詳細図
【図８】本体発電機の無接触状況詳細図  回転軸２の永久磁石Ｎ極に対し、回転ブッシュの永久磁石Ｎ極が反発する為に、相互は接触しない状況を表す。
【図９】発電部詳細図  対称コイルの間を永久磁石が振幅すると、直流の連続発電が生じる。
【図１０】発電部断面詳細図
【符号の説明】
【００１６】  ▲１▼発電起動用双子振動子
▲２▼回転軸
▲３▼回転ブッシュ
▲４▼発電用双子振動子
▲５▼発電コイル（固定永久磁石含）
▲６▼発電用永久磁石
▲７▼電気誘導磁石
▲８▼本体発電機収納枠
▲９▼本体収納枠開閉ドア
【図１】
2010130895.tif 000003
【図２】
2010130895.tif 000004
【図３】
2010130895.tif 000005
【図４】
2010130895.tif 000006
【図５】
2010130895.tif 000007
【図６】
2010130895.tif 000008
【図７】
2010130895.tif 000009
【図８】
2010130895.tif 000010
【図９】
2010130895.tif 000011
【図１０】
2010130895.tif 000012
(57)【要約】【課題】従来、キャリア周波数を上げることにより人間の耳に聞こえ難い周波数帯とすることで騒音を低下させていたが、スイッチング回数が増加することでインバータ回路の損失が増大するという課題があった。本発明は騒音が目立たない範囲で可能な限りインバータ回路の損失を低減するインバータ制御装置および空気調和機を提供することを目的とする。【解決手段】人の在・不在を検出する人体検出手段９と、人体検出情報からキャリア周波数を決定するキャリア周波数決定手段８を設けることで、人が不在の場合は損失の低いキャリア周波数を決定することを可能としたものである。【選択図】図１
2010130816.tif 000002
【特許請求の範囲】
【請求項１】
交流電力を直流電力へ変換する整流回路と、直流電力を交流電力へ変換してモータへ供給するインバータ回路と、人の在・不在を検出する人体検出手段と、キャリア周波数指令を決定するキャリア周波数決定手段と、指定されたキャリア周波数でインバータ回路を制御するＰＷＭ制御手段とを備え、キャリア周波数決定手段が人体検出手段の出力情報に基づいてキャリア周波数を決定するインバータ制御装置。
【請求項２】
請求項１記載のインバータ制御装置を有する空気調和機。
【発明の詳細な説明】
【技術分野】
【０００１】
本発明は、モータのインバータ制御装置および空気調和機に関する。
【背景技術】
【０００２】
従来、この種の電動機の制御装置としては、例えば、キャリア周波数を１０ｋＨｚ以上に上げる事によって騒音を減らすものがあった（例えば、特許文献１参照）。
【特許文献１】特開平３−１７８５９５号公報
【発明の開示】
【発明が解決しようとする課題】
【０００３】
しかしながら前記従来技術では、キャリア周波数を上げることにより騒音は低下するが、スイッチング回数が増加することでインバータ回路の損失が増大するという課題がある。
【０００４】
本発明は、上記従来技術の課題を解決するもので、人が不在の場合はキャリア周波数を低く設定し、インバータ回路の損失を低減するモータのインバータ制御装置および空気調和機を提供することを目的とする。
【課題を解決するための手段】
【０００５】
前記従来の課題を解決するために、本発明のモータのインバータ制御装置および空気調和機は、人の在・不在を検出する人体検出手段と、人体検出手段の出力情報からキャリア周波数を決定するキャリア周波数決定手段を設けたものである。
【発明の効果】
【０００６】
本発明により、モータのインバータ制御装置および空気調和機からの騒音を不快に感じることなく、かつ人の不在の場合は装置の損失を低減できるモータのインバータ制御装置および空気調和機を提供することができる。
【発明を実施するための最良の形態】
【０００７】
第１の発明は、交流電力を直流電力へ変換する整流回路と、直流電力を交流電力へ変換してモータへ供給するインバータ回路と、人の在・不在を検出する人体検出手段と、キャリア周波数指令を決定するキャリア周波数決定手段と、指定されたキャリア周波数でインバータ回路を制御するＰＷＭ制御手段とを備えたもので、キャリア周波数決定手段が人体検出手段の出力情報に基づいて、人が不在の場合はキャリア周波数を低く設定することで、モータのインバータ制御装置の騒音を不快に感じることなく、かつ人の不在の場合に損失を低減するモータのインバータ制御装置を提供することができる。
【０００８】
第２の発明は、モータにより冷媒を圧縮する圧縮機と、請求項１のモータのインバータ制御装置を備え、空気調和機の騒音が目立たない範囲で損失を低減する空気調和機を提供することができる。
【０００９】
（実施の形態１）
図１は、本発明の第１の実施の形態を説明する図である。
【００１０】
図１において、整流回路２は交流電力を直流電力へ変換し、インバータ回路４は直流電力を交流電力へ変換してモータ５へ供給する。
【００１１】
モータ制御回路６は人体検出手段９とキャリア周波数決定手段８とＰＷＭ制御手段７から構成され、キャリア周波数決定手段８は人体検出手段９により出力される人の在・不在情報に応じて、在情報の場合はキャリア周波数を高く、不在情報の場合は低く設定し、ＰＷＭ制御手段７は決定されたキャリア周波数でインバータ回路４を制御する。
【産業上の利用可能性】
【００１２】
以上のように、本発明のモータのインバータ制御装置および空気調和機は、人の在・不在情報をもちいてキャリア周波数を決定することにより、必要以上に損失を増やすことのないモータの運転が可能となり、モータのインバータ制御装置を含む種々の機器に適用できる。
【図面の簡単な説明】
【００１３】
【図１】本発明におけるモータのインバータ制御装置の構成図
【符号の説明】
【００１４】
１  交流電源
２  整流回路
３  平滑コンデンサ
４  インバータ回路
５  モータ
６  モータ制御回路
７  ＰＷＭ制御手段
８  キャリア周波数決定手段
９  人体検出手段
【図１】
2010130816.tif 000003
(57)【要約】【課題】携帯電話を身につけるには、従来は背広等のポケットや腰周りのホルダーへの収納が一般的であるが、これでは、ポケットはかさばり、着信したときもいちいち取り出さねば確認ができないという不便さがあった。【解決手段】この発明は、かさばりがちな携帯電話の着用場所を手首部分に設け、背広の袖下にも収まるような形状にすることで、かさばらず、取り出しやすく、視認しやすい装着方法を提供することを課題とする携帯電話ホルダーである。【選択図】図１
2010130681.tif 000002
【特許請求の範囲】
【請求項１】
手首に取り付ける取付手段と、この取付手段に固定されるホルダーケースと、このホルダーケースの内部に形成され、携帯電話を収納できる空間と、このホルダーケースの底面または側面に開口し前記携帯電話を前記空間へ挿入し収納できる開口部と、収納した携帯電話が前記開口部から脱落しないように設けられる脱落防止手段と、を有することを特徴とする携帯電話ホルダー。
【請求項２】
前記ホルダーケースは、全体が透明なスケルトンであること、もしくは上面の表示部が広く開放されていることを特徴とする請求項１記載の携帯電話ホルダー。
【発明の詳細な説明】
【技術分野】
【０００１】  この発明は、手首部分に設ける携帯電話ホルダーの形状に関するもの。
【背景技術】
【０００２】  携帯電話を身につけるには、従来は背広等のポケットや腰周りのホルダーへの収納が一般的である。
【発明の開示】
【発明が解決しようとする課題】
【０００３】  しかしながら、これでは、ポケットはかさばり、着信したときもいちいち取り出さねば確認ができないという不便さがあった。
そこで、この発明は、かさばりがちな携帯電話の着用場所を手首部分に設け、近年薄く小型化が進んだ携帯電話本体を背広の袖下にも収まるような形状のホルダーに収納することで、かさばらず、取り出しやすく、視認しやすい装着方法を提供することを課題とする。
【課題を解決するための手段】
【０００４】  以上の課題を解決するために、第一発明は、バンド状のベルトに固定されたホルダーの底面から携帯電話を挿入することを特徴とする携帯電話ホルダーである。
また、第二発明は、スケルトン、もしくは図１のように表示面を広く開けることで、速やかに目視できるようにしたことを特徴とするホルダーである。
【発明の効果】
【０００５】  第一発明、または第二発明によれば、手首部分に携帯電話を装着できるので、かさばらず、取り出しやすく、目視が容易となる。
【発明を実施するための最良の形態】
【０００６】  この発明の一実施形態を、図１、図２および図３に示す。
ホルダーの本体１は腕時計のようにバンドで手首に固定されてあり、この本体１の内部に携帯電話を滑り込ませ、ラッチなどで脱落をさせないようになっている。（図１）【０００７】    このホルダーは手首の間接付近にあるため、手首を曲げて出し入れをおこなう。（図２）このため手をだらりと下ろしている状態でも、手自体で蓋をしていることとなり、脱落防止となる。【０００８】「実施形態の効果」
この実施形態によれば、腕時計をみるときのように袖を軽くまくし上げるだけで表示面の視認ができ、すぐに取り出せる。また使用後もワンタッチで収納できる。【０００９】「他の実施形態」
図１の実施形態では、ホルダーの収納口は指先側であったが、他の実施形態では、逆サイドに収納口をつけ、脱落防止や意匠的な観点から設けるものでも良い（図３）。また携帯の機種によっては表示面を腕時計のようにみるようにできる。
【図面の簡単な説明】
【００１０】
【図１】この発明の一実施形態を示す仕様図である。
【図２】同じくこの発明の一実施形態を示す仕様図である。
【符号の説明】
【００１１】    １  ホルダー本体            ２  携帯電話
３  底面開口部              ４  ホルダー側面
【図１】
2010130681.tif 000003
【図２】
2010130681.tif 000004
【図３】
2010130681.tif 000005
【手続補正書】
【提出日】平成21年2月18日(2009.2.18)
【手続補正１】
【補正対象書類名】明細書
【補正対象項目名】００１０
【補正方法】変更
【補正の内容】
【００１０】
【図１】この発明の一実施形態を示す仕様図である。
【図２】同じくこの発明の一実施形態を示す仕様図である。
【図３】この発明の一実施形態を示す仕様図である。